(57)【要約】　　　（修正有）【課題】情報が限定された情報の中では廃棄物の効率的な再利用は難しい。材料の有効活用、有効にするための処理法で、出す側、再生する側それぞれの情報を幅広く集め、リクエストに即時回答できるシステムの提供。【解決手段】廃棄物排出者が使う端末１０１、１０２、１０３と、廃棄物利用者が使う端末２０１と、その他の関係者が使う端末３０１と、システム管理者が使う端末４０１がインターネットで接続され、これらの端末を通じて、サーバー３０２に書き込まれたそれぞれで必要な情報の引き出しや情報交換を行う。【選択図】　　　　図２
2004118593.tif 000002
【特許請求の範囲】
【請求項１】
廃棄物を廃棄するにあたり、廃棄する者、廃棄物処理機メーカ、再生や再利用する者、およびその間を取り持つ運搬業者・処理業者の情報を特定の端末機を使い、それらの情報が端末に接続しているインターネットを通じ、必要な者が関係情報を相互に、容易に、かつ迅速に得るようにした廃棄物リサイクル情報システム。
【請求項２】
情報を蓄積、集約し、必要なら演算処理するサーバーに接続した端末を有する請求項１の廃棄物リサイクル情報システム。
【請求項３】
端末からのリクエストに応じ、検索、分類、並べ替え、オークション、逆オークション機能を有し、リクエストのあった端末に返答する機能を有する請求項２の廃棄物リサイクル情報システム。
【請求項４】
使用にあたって、利用者が恩恵を受けたらそのとき、応分の負担をすることを使用許諾書に盛り込んだ、請求項２の廃棄物リサイクル情報システム。
【請求項５】
使用にあたって、利用者が恩恵を受けたらそのとき、応分の負担をすることを使用許諾書に盛り込んだ、請求項３の廃棄物リサイクル情報システム。
【発明の詳細な説明】
【０００１】
【発明が属する技術分野】
本発明は、廃棄物を廃棄する時、資源リサイクルシステム全体の中で、廃棄物を出す者、再生する者、その中間に介在する者も含めた関係者が、最適な廃棄物リサイクルを得るべく、関連する情報を迅速にかつ安価に収集し、提供することを特徴とする廃棄物リサイクル情報システム。
【０００２】
【従来の技術】
地球環境の保護や地球資源の有効活用の観点から、また昨今のＩＳＯ１４００１取得の動きや環境会計からも廃棄物のリサイクルに関心が高まっている。家庭でも職場でも公共の場でも、排出者は廃棄物の種類の分別ぐらいは、日常的に行うようになってきた。特に産業廃棄物の場合、引渡し後の状況確認の環境マニフィスト作成や万一問題が生じたときの排出者責任を負うことからも、従来にない関心が寄せられている。図１はその一例で工場から出る廃棄物の流れを示している。１は工場等での廃棄物排出者である。通常製造課長１１が回収業者３１に引き取らせている。ある程度の量や種類になると廃棄物リスト１２を作成し、売却代金の管理をしているが、製造課長は工場から出た廃棄物の行方がどうなっているか正確には把握できていない、すなわち回収業者３１に任せて、処理法やルートについて関心を持たない。また持とうとしても十分な情報もないのでそれ以上の検討が出来ないのが現状である。回収業者３１はそのままブローカー３２に渡したりし、廃棄物問屋３３に持っていく。ここでは、単に運搬が主業務となり、これらの手を経れば経るほど、それだけ工賃が上乗せされてしまう。最終の再生業者２につくころには、廃棄物も、混在した状態でしかも大量になり、本来高価なものも付加価値のない材料として扱われてしまう傾向がある。また、一部は、これらの過程で埋立地に安易に廃棄されてしまうものもある。せっかくの資源も活用されないまま野ざらしになってしまい、地球環境保全全体からの最適リサイクルルートの構築からは程遠いいものとなってしまう。
【０００３】
【発明が解決しようとする課題】
解決しようとする課題は、資源のリサイクルにあたって、関係者間で情報が迅速に安価に得やすくすることであり、また廃棄物の処理方法の選定や効果が迅速にわかり、また関係者が個別に効果を算定できるようにすることである。
【０００４】
【課題を解決するための手段】
廃棄物排出者、廃棄物再利用者、仲介業者や関連業者およびシステム管理業者がそれぞれ端末機を準備し、インターネットを使い、廃棄物に関する情報を交換する。その中で、システム管理業者は、関係情報を一括蓄積し、関係者からの要望にこたえるような検索、演算処理システムを有する。端末を持った利用者はまず登録票に自己の情報を登録し、インターネットを通じシステム管理業者のサーバーのデータ、もしくは演算結果を見ることができる。売買の価格交渉など、当事者間で交渉することになるが、ｅ−メールでも十分活用できるレベルである。機械メーカ、リース会社等は広告として登録も可能である。
【０００５】
【発明の実施の形態】
関係者がインターネットに通じる端末を有し、データおよび演算することから廃棄物のリサイクルにあたって、最良の処理法を選定するのに必要な情報を得る、廃棄物処理リサイクル情報システム。
【０００６】
【実施例】
図２は、本発明の構成を示す。大別すると廃棄物排出者が使う端末１０１のＡ系統、廃棄物再利用者が使う端末２０１のＢ系統、その他の関係者が使う端末３０１のＣ系統およびシステム管理者が使う端末４０１のＳ系統がインターネットで結び合っている。これらの端末を通じて、それぞれの必要な情報の引き出しや交換ができる。インターネットなので使用時間帯の制約は全くないし、個々の連絡事項もメールで連絡しあえる。
【０００７】
図３は上記システムにおいて廃棄物排出者（Ａ系統）側からシステムの活用法を述べている。引き取ってもらいたい材料がどのくらいの価格で、取引されているか、取引先がどこかが分かる。また廃棄物の処理方法については、圧縮、破砕、粉砕、溶融、溶解、分解などの情報を集積しリクエストに対応する。情報源は関係する事業所がサーバーにインターネットで書き込んでおく。もちろん関係会社（Ｂ系統、Ｃ系統、Ｓ系統）と直接連絡は可能である。
【０００８】
図４は上記システムにおいて中間業者（Ｂ系統）側からシステムの活用法を述べている。引き取ってもらいたい材料がどのくらいの価格で、取引されているかなどは、上記廃棄物排出者（Ａ系統）と同様な形態で情報収集ができる。
【０００９】
図５は上記システムにおいて廃棄物再利用者（Ｃ系統）側からシステムの活用法を述べている。ここでは廃棄物者（Ａ系統）系と中間業社（Ｂ系統）の情報が分かる。もちろんここでも処理方法などの情報が得られるので、再利用者がこれらの設備化をしようとする場合に役に立つ。
【００１０】
図６は上記システムにおいてデータベースを構築するシステム（Ｓ系統）側からシステムの詳細を述べたものである。ここでは、関係者のすべてのデータがインターネットを通じて集積されている。例えば図７〜図９のフォーマットに記入された内容で登録される。ここではこれらの入力情報をカテゴリーごとに分類して、リクエストに答えられるようになっている。また採算性などの演算に関するものもシステムとして組み込まれ、関係者のリクエストに答える。図１０は切りくず圧縮機による採算性を計算している例である。演算に必要な入力は関係者の端末からできる。もちろんセキュリテーは十分確保されている。
【発明の効果】
本発明によって、従来部分的にしか考えられなかった廃棄物処理を廃棄から材料を再生するまでのトータルのシステムからそれぞれが最適のシステムを見出すことが出来るようになった。これによって資源のより有効活用ひいては地球にやさしい再生システムの実現の一助となる
【図面の簡単な説明】
【図１】従来の廃棄物の流れ
【図２】ネットワーク
【図３】廃棄物排出者を中心に見たシステム
【図４】仲介業者を中心に見たシステム
【図５】再利用者を中心に見たシステム
【図６】システム運用者を中心に見たシステム
【図７】廃棄物排出者の登録表
【図８】廃棄物再生業者の登録表
【図９】環境機器メーカの登録表
【図１０】演算処理の例
【符号の説明】
１　廃棄物排出者
１１　製造課長
１２　廃棄物リスト
１０１　端末
２　廃棄物再利用者
２１　購買担当
２２　購入品リスト
２０１　端末
３　仲介業者
３１　回収業者
３２　ブローカー
３３　問屋
３４　納入業者
３０１　端末
４　ネット管理者
４０１　端末
４０２　サーバー
４０３　ＬＡＮ
【図１】
2004118593.tif 000003
【図２】
2004118593.tif 000004
【図３】
2004118593.tif 000005
【図４】
2004118593.tif 000006
【図５】
2004118593.tif 000007
【図６】
2004118593.tif 000008
【図７】
2004118593.tif 000009
【図８】
2004118593.tif 000010
【図９】
2004118593.tif 000011
【図１０】
2004118593.tif 000012